(57)【要約】【課題】プラットフォームが異なっていても、情報を効率的に処理することができるシステムを、提供する。【解決手段】本情報処理システムは、第１情報処理装置と第２情報処理装置とが通信することによって情報を処理する。第１情報処理装置及び第２情報処理装置のいずれか一方は、第１情報処理装置と第２情報処理装置とが近接又は接触した場合に、第１情報処理装置及び第２情報処理装置のいずれか他方の位置を検出する装置検出部を備える。上記の一方の情報処理装置は、情報を表示する第１モニタ部と、第１モニタ部に表示した情報を選択する第１選択部と、第１選択部が情報を選択した状態で、第１モニタ部における他方の情報処理装置側に設けた第１領域をまたいで第１モニタ部の画面端に情報を移動した場合、情報を他方の情報処理装置に送信する第１通信部と、を備える。【選択図】図７
2013140455.tif 000002
【特許請求の範囲】
【請求項１】
第１情報処理装置と第２情報処理装置とが通信することによって情報を処理する情報処理システムであって、
前記第１情報処理装置及び前記第２情報処理装置のいずれか一方は、前記第１情報処理装置と前記第２情報処理装置とが近接又は接触した場合に、前記第１情報処理装置及び前記第２情報処理装置のいずれか他方の位置を検出する装置検出部を、備え、
前記一方の情報処理装置は、
情報を表示する第１モニタ部と、
前記第１モニタ部に表示した情報を選択する第１選択部と、
前記第１選択部が情報を選択した状態で、前記第１モニタ部における前記他方の情報処理装置側に設けた第１領域をまたいで前記第１モニタ部の画面端に前記情報を移動した場合、前記情報を前記他方の情報処理装置に送信する第１通信部と、
を備える情報処理システム。
【請求項２】
前記一方の情報処理装置は、
前記第１モニタ部と、前記他方の情報処理装置の位置を検出するための前記装置検出部とを、有する第１表示部と、
前記第１領域を前記第１モニタ部の外周部に設定し、前記第１選択部が前記第１領域をまたいで前記第１モニタ部の画面端に前記情報を移動した場合に、前記情報を前記他方の情報処理装置に送信する命令を、前記第１通信部に発行する第１制御部と、
を備える請求項１に記載の情報処理システム。
【請求項３】
前記装置検出部は、前記第１表示部における、上端部、下端部、左端部、及び右端部の少なくともいずれか１つの端部に、設けられており、
前記第１制御部は、前記装置検出部が設けられた各端部近傍において、前記情報を送信可能な所定の領域を前記第１モニタ部に設定し、前記他方の情報処理装置の前記位置を検出した前記装置検出部近傍の前記所定の領域を、前記第１領域として、選択する、
請求項２に記載の情報処理システム。
【請求項４】
前記第１制御部は、前記装置検出部が出力する出力強度に基づいて、前記所定の領域の中から、前記第１領域を選択する、
請求項２又は３に記載の情報処理システム。
【請求項５】
前記装置検出部は、前記他方の情報処理装置の近接又は接触を検知するセンサ部、及び前記他方の情報処理装置によって押圧されることによって前記他方の情報処理装置の前記位置を検知するスイッチ部の少なくともいずれか一方から、構成される、
請求項２から４のいずれかに記載の情報処理システム。
【請求項６】
前記他方の情報処理装置は、
情報を表示する第２モニタ部を有する第２表示部と、
前記第２モニタ部に表示した情報を選択する第２選択部と、
情報を送受信する第２通信部と、
前記第１領域に対応する第２領域を、前記第２モニタ部の外周部に設定し、前記第２選択部が情報を選択した状態で、前記第２領域をまたいで前記第２モニタ部の画面端に前記情報を移動した場合に、前記情報を前記一方の情報処理装置に送信する命令を、前記第２通信部に発行する第２制御部と、
を備える請求項１から５のいずれかに記載の情報処理システム。
【発明の詳細な説明】
【技術分野】
【０００１】
本発明は、情報処理システム、特に、第１情報処理装置と第２情報処理装置とが通信することによって情報を処理する情報処理システムに関する。
【背景技術】
【０００２】
従来から、１台の端末において複数のモニタを制御する技術が、存在している。例えば、特許文献１に開示された２個の画面は、１台の端末によって制御可能である。この技術は、デュアルディスプレイ技術として知られている。このデュアルディスプレイ技術によって、ユーザは、より広い画面上で様々な情報を同時に視認することができる。
【先行技術文献】
【特許文献】
【０００３】
【特許文献１】特表２００２−５３３７７７号公報
【発明の概要】
【発明が解決しようとする課題】
【０００４】
従来のデュアルディスプレイ技術では、例えば、画面に表示されたアイコンやソフトの画面等を、一方の画面から他方の画面へと自由に移動することができる。すなわち、デュアルディスプレイ技術では、アイコンやソフトの画面等を、２つの画面間においてシームレスに移動させることができる。これにより、ユーザは、自分が所望するレイアウトを、自由に形成することができ、視認性を向上することができる。
一方で、近年のモバイル環境の発達に伴って、ユーザは、複数の端末を所持し、複数の端末において作業を行う機会が増えてきた。この場合においても、複数の端末それぞれのモニタを用いて、デュアルディスプレイ環境を形成することは可能である。しかしながら、上述したデュアルディスプレイ技術は、１台の端末が、２つのモニタを制御する技術であるので、端末をモバイル用途で用いる場合には、必ずしも有効に利用できるわけではない。例えば、モバイル用途での端末の利用形態を考えると、複数のモニタ間で画像の移動を行うことよりも、複数の端末間においてデータの移動やコピー等を行うことができる方が、有効であることが多い。そこで、複数の端末間においてデータを容易に処理することができるシステムの構築が、期待されている。
【０００５】
本発明は、上述した点を鑑みてなされたものであり、本発明の目的は、複数の端末間において情報を容易に処理することができるシステムを、提供することにある。
【課題を解決するための手段】
【０００６】
本情報処理システムは、第１情報処理装置と第２情報処理装置とが通信することによって情報を処理する。第１情報処理装置及び第２情報処理装置のいずれか一方は、第１情報処理装置と第２情報処理装置とが近接又は接触した場合に、第１情報処理装置及び第２情報処理装置のいずれか他方の位置を検出する装置検出部を備える。上記の一方の情報処理装置は、情報を表示する第１モニタ部と、第１モニタ部に表示した情報を選択する第１選択部と、第１選択部が情報を選択した状態で、第１モニタ部における他方の情報処理装置側に設けた第１領域をまたいで第１モニタ部の画面端に情報を移動した場合、情報を他方の情報処理装置に送信する第１通信部と、を備える。
【発明の効果】
【０００７】
本発明によれば、複数の端末間において情報を容易に処理することができる。
【図面の簡単な説明】
【０００８】
【図１】一実施形態に係る携帯装置及びパーソナルコンピュータ（ＰＣ）との関係を示す模式図。
【図２】一実施形態に係る携帯装置のハードウェア構成を示す図。
【図３】一実施形態に係るＰＣのハードウェア構成を示す図。
【図４】一実施形態に係るＰＣの近接センサを説明するための図。
【図５】一実施形態に係る、ＰＣに設定される送信可能領域と、携帯装置がＰＣに近接した場合の送信領域とを説明するための図。
【図６】一実施形態に係る携帯装置に設定される送信可能領域と送信領域とを説明するための図。
【図７】一実施形態に係る情報処理システムの処理を示すフローチャート。
【図８】他の実施形態に係るＰＣのスイッチを説明するための図。
【発明を実施するための形態】
【０００９】
〔情報処理システムを構成する装置の説明〕
情報処理システムは、複数の装置が互いに通信することによって情報を処理するシステムである。例えば、図１に示すように、情報処理システムは、パーソナルコンピュータ１（第１情報処理装置の一例、以下ＰＣと呼ぶ）、及び携帯装置２（第２情報処理装置の一例）から構成されている。
＜携帯装置の構成＞
図２に示すように、携帯装置２は、主に、制御部１０（第２制御部の一例）と、モニタ部３（第２表示部の一例）と、通信部１６（第２通信部の一例）と、記憶部１７と、操作部１８を、有している。
モニタ部３は、液晶モニタ３ａ（第２モニタ部の一例）を、有している。液晶モニタ３ａは、接触入力式のモニタ、例えばタッチパネル式のモニタである。液晶モニタ３ａには、各種データ、画像情報、及び文字情報等を含む情報が、表示される。液晶モニタ３ａに表示された情報（対象）の位置において、指やタッチペン等（選択手段）をタッチパネルに接触させると、対象が選択される。
【００１０】
制御部１０は、マイクロプロセッサを利用したＣＰＵ１１（Central Processing Unit）と、画像処理回路１４と、サウンド処理回路１５とを、有している。これらは、バス２５を介してそれぞれが接続されている。
ＣＰＵ１１は、プログラムからの命令を解釈し実行する。また、ＣＰＵ１１は、入出力命令を解釈し、データの入力や出力を実行する。さらに、ＣＰＵ１１は、各種データの記憶部１７に対する書き込み処理や読み出し処理を、実行する。
画像処理回路１４は、ＣＰＵ１１からの描画指示に応じてモニタ部３を制御して、液晶モニタ３ａ（第２モニタ部の一例）に所定の画像を表示する。また、画像処理回路１４にはタッチ入力検出回路１４ａ（第２選択部の一例）が含まれている。タッチパネルに指示手段、例えば指等を接触させた場合、接触信号がタッチ入力検出回路１４ａからＣＰＵ１１へと供給され、液晶モニタ３ａにおける接触位置がＣＰＵ１１に認識される。
【００１１】
例えば、液晶パネルに表示された対象の位置において、指やタッチペン等（選択手段）がタッチパネルに接触すると、対象の選択信号がタッチ入力検出回路１４ａからＣＰＵ１１へと供給され、対象がＣＰＵ１１に認識される。より具体的には、指やタッチペン等の位置座標が、対象の所定の領域（ex. アイコンの表示領域やソフトの画面の上枠部等）の内部において認識されると（ex. タッチ入力等が実行されると）、対象が選択される。
サウンド処理回路１５は、ＣＰＵ１１からの発音命令に応じたアナログ音声信号を生成して、音出力用のマイク５ａおよび／又はスピーカ６に出力する。音出力用のマイク５ａおよび／又はスピーカ６の音量は、操作部１８のボリュームボタンによって調節される。また、サウンド処理回路１５は、音入力用のマイク５ｂから音が入力されたときに、アナログ音声信号をデジタル音声信号に変換する。
【００１２】
通信部１６は、データ通信するための通信機能や、電話として通信するための通信機能等を有している。データ通信用の通信機能には、ローカルワイヤレスネットワーク機能や、ワイヤレスＬＡＮによるインターネット接続機能等が、含まれている。
通信部１６は、通信制御回路２０と通信インターフェイス２１とを有している。通信制御回路２０および通信インターフェイス２１は、バス２５を介してＣＰＵ１１に接続されている。通信制御回路２０および通信インターフェイス２１は、ＣＰＵ１１からの命令に応じて、携帯装置２を、ローカルワイヤレスネットワーク及びワイヤレスＬＡＮ等によりインターネットに接続するための接続信号を制御する。また、通信制御回路２０および通信インターフェイス２１は、ＣＰＵ１１からの命令に応じて、携帯装置２を、Ｂｌｕｅｔｏｏｔｈ（登録商標）等により他の装置に接続するための接続信号を制御する。
【００１３】
また、通信制御回路２０および通信インターフェイス２１は、他の装置からの接続信号を受信し制御する。さらに、電話による通信時には、通信制御回路２０および通信インターフェイス２１は、ＣＰＵ１１からの命令に応じて、携帯装置２を電話回線に接続するための接続信号を制御する。
記憶部１７は、本体に内蔵されており、バス２５に接続される。例えば、記憶部１７は、ＲＯＭ１２（Read Only Memory）と、ＲＡＭ１３（Random Access Memory）と、フラッシュメモリ１９とを、有している。ＲＯＭ１２は、携帯装置２の基本的な制御（例えば起動制御等）に必要なプログラム等を、記録する。ＲＯＭ１２には、データ処理、ファイル制御、及び基本制御等に関するプログラムが、記録されている。
ＲＡＭ１３は、制御部１０のワークメモリとして機能する。ＲＡＭ１３は、ＳＤＲＡＭ等で実現される。ＲＡＭ１３は、各種データ、画像情報、及び音声情報などを記録するための内部メモリとしても機能する。フラッシュメモリ１９は、書き換え可能な不揮発性のメモリである。フラッシュメモリ１９は、基本プログラム、各種データ、及びハード制御用のプログラムが記録される。また、フラッシュメモリ１９には、ＯＳ（Operating System）がインストールされる。なお、フラッシュメモリ１９は、ＲＡＭ１３に統合されていてもよい。
【００１４】
操作部１８は、図示しない、ホームボタン及びボリュームポタン等を、有している。ホームボタンが押されると、ホーム画面が表示されたり、携帯装置２がスリープ状態から復帰したりする。ボリュームポタンが押されると、音量の増減が行われる。
なお、バス２５と各要素との間には必要に応じてインターフェイス回路が介在しているが、ここではそれらの図示は省略している。
＜ＰＣ１の構成＞
図３に示すように、ＰＣ１は、主に、制御部１１０（第１制御部の一例）と、モニタ部２１３（第１表示部の一例）と、通信部１１６（第１通信部の一例）と、記憶部１１７と、入力部１１８（第１選択部の一例）とを、有している。ここに示した各構成１１０，１１６，１１７の機能は、基本的には、携帯装置２と同様である。このため、以下では、携帯装置２と同様の機能については簡単に説明し、携帯装置２と異なる機能について詳細に説明する。ここで省略された機能については、携帯装置２の機能に準じるものとする。
【００１５】
モニタ部２１３は、モニタ２１３ａ（第１モニタ部の一例）と、近接センサ２１３ｂ（装置検出部の一例）とを、有している。モニタ２１３ａには、各種データ、画像情報、及び文字情報等を含む情報が、表示される。
近接センサ２１３ｂは、他の装置がＰＣ１に接近した場合に、その装置の存在を検出するセンサである。近接センサ２１３ｂは、モニタ部２１３の本体外周部に、内蔵されている。例えば、３個の近接センサ２１３ｂが、モニタ部２１３に設けられている。より具体的には、３個の近接センサ２１３ｂそれぞれが、モニタ部２１３の本体外周部における、上端部、左端部、及び右端部に、内蔵されている（図４を参照）。
詳細には、近接センサ２１３ｂは、図示しない、光を発する発光素子と、光を受けとって電気信号に変換する受光素子とから、構成されている。光が、発光素子から放たれると、この光は検出対象に当たってはね返ってくる。すると、受光素子は、この光を、受けて円圧に変換する。そして、変換された電圧が一定以上になると、検出対象が一定距離内に近づいたと判定する。
【００１６】
なお、ここでは、近接センサ２１３ｂが、赤外線タイプである場合の例を示すが、近接センサ２１３ｂは、どのようなものでもよい。例えば、近接センサ２１３ｂは、誘導タイプ、静電容量タイプ、超音波タイプ型等であってもよい。
制御部１１０は、ＣＰＵ１１１と、画像処理回路１１４と、サウンド処理回路１１５とを、有している。これらは、バス１２５を介してそれぞれが接続されている。ＣＰＵ１１１は、各種の命令を解釈し、各種の処理を実行する。画像処理回路１１４は、ＣＰＵ１１１からの描画指示に基づいてモニタ部２１３を制御して、モニタ２１３ａに所定の画像を表示する。ここで、モニタ２１３ａは、タッチパネルであっても、非タッチパネルであってもよい。
サウンド処理回路１１５は、ＣＰＵ１１１からの発音指示に応じたアナログ音声信号を生成して、スピーカ２１６に出力する。なお、本実施形態では、ＰＣ１のＣＰＵ１１１が、携帯装置２のＣＰＵ１１より処理能力が低いものであるということが想定されている。
【００１７】
通信部１１６は、データ通信するための通信機能等を有している。データ通信用の通信機能には、ローカルワイヤレスネットワーク機能、及びワイヤレスＬＡＮによるインターネット接続機能等が、含まれている。また、データ通信用の通信機能には、Ｂｌｕｅｔｏｏｔｈ（登録商標）等が含まれている。通信部１１６は、通信制御回路１２０と通信インターフェイス１２１とを有している。
記憶部１１７は、本体に内蔵されており、バス１２５に接続される。例えば、記憶部１１７は、ＲＯＭ１１２と、ＲＡＭ１１３と、ハードディスク１１９とを、有している。ＲＯＭ１１２は、ＰＣ１の基本制御に関するプログラム等を、記録する。ＲＡＭ１１３は、制御部１１０のワークメモリとして機能する。ハードディスク１１９は、例えば、磁気ディスクである。ハードディスク１１９は、基本プログラム、各種データ、及びハード制御用のプログラムが、記録される。また、ハードディスク１１９には、ＯＳがインストールされる。
【００１８】
入力部１１８は、情報を入力可能な装置である。入力部１１８は、例えばキーボード及び／又はマウスである。ユーザは、入力部１１８を操作することによって、所望の命令を制御部１１０に指示する。また、ユーザは、入力部１１８を操作することによって、モニタ２１３ａに表示された情報を、選択可能である。例えば、ユーザは、入力部１１８例えばキーボード及びマウスを操作することによって、モニタ２１３ａに表示された矢印（選択手段、指示手段）を移動させ、この矢印によって、モニタに表示されたアイコンやソフトの画面等を、選択可能である。
ＰＣ１では、選択手段（指示手段）の位置座標が、対象の所定の領域（ex. アイコンの表示領域やソフトの画面の上枠部等）の内部に、含まれた状態で、入力部１１８から指示された選択命令（ex. クリック等）が実行されると、対象が選択される。
【００１９】
なお、バス１２５と各要素との間には必要に応じてインターフェイス回路が介在しているが、ここではそれらの図示は省略している。
〔情報処理システムの機能及び動作〕
次に、本情報処理システムの具体的な内容について説明する。また、図７に示すフローについても、同時に説明する。本情報処理システムは、図１に示したように、ＰＣ１と携帯装置２とが近接した状態で互いに通信することによって情報を処理するシステムである。
本情報処理システムでは、ＰＣ１はＰＣ用のＯＳによって制御されており、携帯装置２は携帯装置用のＯＳによって制御されている。なお、ＰＣ用のＯＳと携帯装置用のＯＳとは、異なるＯＳであっても、同じＯＳであってもよい。なお、以下では、「情報」という文言が「情報データ」という意味で用いられることがある。
【００２０】
まず、ＰＣ１と携帯装置２とが起動されると（Ｓ１，Ｓ１００）、ＰＣ１では、３個の近接センサ２１３ｂそれぞれが、作動する（Ｓ２）。この状態において、図４に示すように、携帯装置２（又はＰＣ１）がＰＣ１（又は携帯装置２）に接近すると、ＰＣ１の各近接センサ２１３ｂは、携帯装置２の存在を検出する（Ｓ３）。すると、ＰＣ１のＣＰＵ１１１は、近接した携帯装置２が、本情報処理システムとしてＰＣ１とともに動作可能な携帯装置であるか否かを、近距離無線通信等の技術を用いた認証によって、判断する（Ｓ４）。ＣＰＵ１１１は、認証が失敗した携帯装置２に対しては、所定の距離以下への近接はないものとして取り扱う（Ｓ４でＮｏ）。ＣＰＵ１１１は、認証が成功した携帯装置２に対してのみ、以下の処理を行う（Ｓ４でＹｅｓ）。
すると、ＰＣ１のＣＰＵ１１１は、各近接センサ２１３ｂの出力強度に基づいて、携帯装置２が所定の距離以下に近接したか否かを、判断する（Ｓ５）。ここで、携帯装置２が所定の距離以下に近接した場合（Ｓ５でＹｅｓ）、ＣＰＵ１１１は、ＰＣ１における携帯装置２の近接位置を、認識する（Ｓ６）。
【００２１】
具体的には、各近接センサ２１３ｂと携帯装置２との距離に対応する電圧情報（出力強度の一例）が、各近接センサ２１３ｂ（モニタ部２１３）から制御部１１０へと、伝達される。すると、ＣＰＵ１１１は、各近接センサ２１３ｂが出力する電圧情報、すなわち３つの電圧情報を、認識する。そして、ＣＰＵ１１１は、３つの電圧情報の中で最も大きい電圧情報を、抽出し、この最大電圧情報が一定値以上であるか否かを判断する。ここで、最大電圧情報が一定値以上であった場合、ＣＰＵ１１１は、この最大電圧情報を検出した近接センサ２１３ｂの位置を、携帯装置２の近接位置として、認識する。
なお、携帯装置２が近接状態ではない場合（Ｓ５でＮｏ）、携帯装置２がＰＣ１に近接するまで、ＰＣ１は待機している（Ｓ３）。
続いて、ＣＰＵ１１１は、ＰＣ１に対する携帯装置２の近接位置を、携帯装置２に報知するための命令を、通信部１１６に発行する（Ｓ７）。例えば、最大電圧情報を検出した近接センサ２１３ｂの位置情報が、通信部１１６を介して、ＰＣ１から携帯装置２へと送信される。すると、携帯装置２は、通信部１６を介して、上記の位置情報をＰＣ１から受信する（Ｓ１０１）。これにより、ＰＣ１に対する携帯装置２の近接位置、すなわちＰＣ１に対する携帯装置２の位置情報が、携帯装置２のＣＰＵ１１に認識される。
【００２２】
ここで、位置情報は、携帯装置２がＰＣ１のどの部分に近接したかどうかを、判断するための情報である。例えば、位置情報は、ＰＣ１のモニタ部２１３の上端部、左端部、又は右端部（後述する）のいずれかの位置を示す情報である。
続いて、ＣＰＵ１１１は、情報を送信するための第１送信領域ＳＲ１（第１領域の一例）を、モニタ２１３ａに設定する（Ｓ８）。例えば、図５では、携帯装置２がＰＣ１のモニタ部２１３の左端部に近接し、第１送信領域ＳＲ１が左端部に設定された場合の例である。
第１送信領域ＳＲ１は、最大電圧情報を検出した近接センサ２１３ｂに対応する領域である。ＣＰＵ１１１は、第１送信領域ＳＲ１を、モニタ２１３ａの外周部に設けられた３つの第１送信可能領域Ｒ１，Ｒ２，Ｒ３から、選択する。より具体的には、図５に示すように、携帯装置２がＰＣ１のモニタ部２１３の左端部に近接した場合、左端部の近接センサ２１３ｂに対応する領域、すなわち第１送信可能領域Ｒ２が、第１送信領域ＳＲ１として選択される。
【００２３】
なお、本実施形態では、第１送信可能領域Ｒ１は、上端部の近接センサ２１３ｂに対応する領域であり、第１送信可能領域Ｒ２は、左端部の近接センサ２１３ｂに対応する領域であり、第１送信可能領域Ｒ３は、右端部の近接センサ２１３ｂに対応する領域である。これらの対応は、記憶部１１７に記録された対応テーブルに定義されている。
続いて、ＣＰＵ１１１は、入力部１１８からの入力信号に基づいて、モニタ部２１３に表示された情報が選択されたか否かを、判断する（Ｓ９）。例えば、ＣＰＵ１１１は、モニタ２１３ａに表示されたアイコンやソフトの画面等が、入力部１１８例えばマウスによって選択されたか否かを、判断する。ここで、アイコンやソフトの画面等がマウスによって選択された場合（Ｓ９でＹｅｓ）、ＣＰＵ１１１は、モニタ２１３ａ上におけるマウスの位置座標を認識し、この位置座標をＲＡＭ１１３に記録する。この処理を所定の時間間隔で実行することによって、ＣＰＵ１１１は、入力部１１８によって選択された情報の位置を、把握することができる。
【００２４】
一方で、アイコンやソフトの画面等がマウスによって選択されない限りは（Ｓ９でＮｏ）、ＣＰＵ１１１は、モニタ２１３ａ上におけるマウスの位置座標を認識してはいるものの、この位置座標をＲＡＭ１１３に記録することはない。この場合は、アイコンやソフトの画面等がマウスによって選択されか否かを、ＣＰＵ１１１が監視している（Ｓ９）。なお、以下では、マウスの選択対象がアイコンである場合を一例として、説明を行う。
続いて、マウスによってアイコンが選択された状態で（Ｓ９でＹｅｓ）、マウスの位置を示す矢印（表示子）が、第１送信領域ＳＲ１をまたいでモニタ２１３ａの画面左端まで移動したか否かを、ＣＰＵ１１１は判断する（Ｓ１０）。具体的には、マウスの矢印によってアイコンが選択されドラッグされた状態で、マウスの矢印が、第１送信領域ＳＲ１をまたいでモニタ２１３ａの画面左端まで移動したか否かを、ＣＰＵ１１１は判断する。
【００２５】
ここで、マウスの矢印が第１送信領域ＳＲ１をまたいでモニタ２１３ａの画面左端まで移動した場合（Ｓ１０でＹｅｓ）、ＣＰＵ１１１は、アイコンが示す情報を、携帯装置２に送信する命令を、通信部１１６に発行する（Ｓ１１）。すると、アイコンが示す情報が、通信部１１６を介して、ＰＣ１から携帯装置２へと送信される。
すると、携帯装置２は、通信部１６を介して、上記の情報をＰＣ１から受信する。なお、情報をＰＣ１から携帯装置２へと送信する処理は、情報の移動及び情報のコピーのいずれであってもよい。また、この情報は、携帯装置２において適宜編集可能である。
なお、第１送信領域ＳＲ１が第１送信可能領域Ｒ２の場合、マウスの矢印がモニタ２１３ａの画面左端まで移動することにより、ＰＣ１はデータを送信した。また、第１送信領域ＳＲ１が第１送信可能領域Ｒ１の場合は、マウスの矢印がモニタ２１３ａの画面上端まで移動することにより、ＰＣ１はデータを送信する。さらに、第１送信領域ＳＲ１が第１送信可能領域Ｒ３の場合は、マウスの矢印がモニタ２１３ａの画面右端まで移動することにより、ＰＣ１はデータを送信する。
【００２６】
なお、マウスの矢印によるアイコンが第１送信領域ＳＲ１内に移動しない場合、または第１送信領域ＳＲ１内に移動したもののモニタ２１３ａの画面端まで移動しない場合等（Ｓ１０でＮｏ）には、アイコンが示す情報は、携帯装置２には送信されない。
上記の各種の処理は、ＰＣ１の電源がＯＮである状態において、実行される。このため、ＰＣ１の電源がＯＦＦされた場合（Ｓ１２でＹｅｓ）、ＰＣ１のＣＰＵ１１１はＰＣ１をシャットダウンする。一方で、ＰＣ１の電源がＯＦＦされない場合（Ｓ１２でＮｏ）、ＰＣ１のＣＰＵ１１１は、引き続き、上記の処理を実行する。なお、ＰＣ１の電源は、どのタイミングにおいても、常にＯＦＦすることが可能である。
一方で、携帯装置２では、携帯装置２が起動した状態において（Ｓ１００）、ＰＣ１に対する携帯装置２の位置情報が、ＣＰＵ１１に認識される（Ｓ１０１）。すると、携帯装置２のＣＰＵ１１は、情報を送信するための第２送信領域ＳＲ２（第２領域の一例）を、液晶モニタ３ａに設定する（Ｓ１０２）。第２送信領域ＳＲ２は、ＰＣ１の近傍の領域、例えばＰＣ１に隣接する領域である。
【００２７】
例えば、図６に示すように、ＣＰＵ１１は、第２送信領域ＳＲ２を、液晶モニタ３ａの外周部に設けられた３つの第２送信可能領域Ｓ１，Ｓ２，Ｓ３から、選択する。より具体的には、携帯装置２がＰＣ１のモニタ部２１３の左端部に近接した場合、左端部の近接センサ２１３ｂに対応する領域、すなわち第２送信可能領域Ｓ３が、第２送信領域ＳＲ２として選択される。
なお、本実施形態では、第２送信可能領域Ｓ１は、上端部の近接センサ２１３ｂに対応する領域であり、第２送信可能領域Ｓ２は、右端部の近接センサ２１３ｂに対応する領域であり、第２送信可能領域Ｓ３は、左端部の近接センサ２１３ｂに対応する領域である。これらの対応は、記憶部１１７に記録された対応テーブルに定義されている。
続いて、ＣＰＵ１１は、モニタ部３からの信号に基づいて、液晶モニタ３ａに表示された情報が選択されたか否かを、判断する（Ｓ１０３）。例えば、ＣＰＵ１１は、液晶モニタ３ａに表示されたアイコンやソフトの画面等が、指やタッチペン等の指示手段によって選択されたか否かを、判断する。ここで、アイコンやソフトの画面等が指示手段によって選択された場合（Ｓ１０３でＹｅｓ）、ＣＰＵ１１は、指示手段が液晶モニタ３ａに接触した位置（接触位置）を示す位置座標を認識し、この位置座標をＲＡＭ１３に記録する。この処理を所定の時間間隔で実行することによって、ＣＰＵ１１は、指示手段によって選択された情報の位置を、把握することができる。
【００２８】
一方で、アイコンやソフトの画面等が指示手段によって選択されない限りは（Ｓ１０３でＮｏ）、ＣＰＵ１１は、液晶モニタ３ａ上における指示手段の位置座標を認識してはいるものの、この位置座標をＲＡＭ１１３に記録することはない。この場合は、アイコンやソフトの画面等が指示手段によって選択されか否かを、ＣＰＵ１１が監視している（Ｓ１０３）。なお、以下では、指示手段の選択対象がアイコンである場合を一例として、説明を行う。
続いて、指示手段によってアイコンが選択された状態で（Ｓ１０３でＹｅｓ）、指示手段の接触位置が、第２送信領域ＳＲ２をまたいで液晶モニタ３ａの画面右端まで移動したか否かを、ＣＰＵ１１は判断する（Ｓ１０４）。具体的には、指示手段によってアイコンが選択されドラッグされた状態で、指示手段の接触位置が、第２送信領域ＳＲ２を液晶モニタ３ａの画面右端まで移動したか否かを、ＣＰＵ１１は判断する。
【００２９】
ここで、指示手段の接触位置が第２送信領域ＳＲ２をまたいで液晶モニタ３ａの画面右端まで移動した場合（Ｓ１０４でＹｅｓ）、ＣＰＵ１１は、アイコンが示す情報を、ＰＣ１に送信する命令を、通信部１６に発行する（Ｓ１０５）。すると、アイコンが示す情報が、通信部１６を介して、携帯装置２からＰＣ１へと送信される。
すると、ＰＣ１は、通信部１１６を介して、上記の情報を携帯装置２から受信する。なお、情報を携帯装置２からＰＣ１へと送信する処理は、情報の移動及び情報のコピーのいずれであってもよい。また、この情報は、ＰＣ１において適宜編集可能である。
なお、第２送信領域ＳＲ２が第２送信可能領域Ｓ３の場合、指示手段の接触位置が液晶モニタ３ａの画面右端まで移動することにより、携帯装置２はデータを送信した。また、第２送信領域ＳＲ２が第２送信可能領域Ｓ１の場合は、指示手段の接触位置が液晶モニタ３ａの画面下端まで移動することにより、携帯装置２はデータを送信する。さらに、第２送信領域ＳＲ２が第２送信可能領域Ｓ２の場合は、指示手段の接触位置が液晶モニタ３ａの画面左端まで移動することにより、携帯装置２はデータを送信する。
【００３０】
なお、指示手段によるアイコンが第２送信領域ＳＲ２内に移動しない場合、または第２送信領域ＳＲ２内に移動したものの画面端まで移動しない場合等（Ｓ１０４でＮｏ）には、アイコンが示す情報は、ＰＣ１には送信されない。
上記の各種の処理は、携帯装置２の電源がＯＮである状態において、実行される。このため、携帯装置２の電源がＯＦＦされた場合（Ｓ１０６でＹｅｓ）、携帯装置２のＣＰＵ１１は携帯装置２をシャットダウンする。一方で、携帯装置２の電源がＯＦＦされない場合（Ｓ１０６でＮｏ）、携帯装置２のＣＰＵ１１は、引き続き、上記の処理を実行する。なお、携帯装置２の電源は、どのタイミングにおいても、常にＯＦＦすることが可能である。
〔まとめ〕
本情報処理システムは、ＰＣ１と携帯装置２とが通信することによって情報を処理する。本情報処理システムでは、ＰＣ１と携帯装置２とが近接又は接触した場合に、ＰＣ１及び携帯装置２のいずれか一方が、ＰＣ１及び携帯装置２のいずれか他方の位置を、検出する。そして、上記のＰＣ１及び携帯装置２のいずれか一方において、選択手段（指示手段）が情報を選択した状態で、選択手段が、モニタ部３，２１３上の送信領域ＳＲ１，ＳＲ２をまたいで画面端まで移動した場合に、選択された情報が、上記のＰＣ１及び携帯装置２のいずれか一方から、上記のＰＣ１及び携帯装置２のいずれか他方へと、送信される。
【００３１】
以上のように、本実施形態の情報処理システムでは、ユーザが所望する情報を、ＰＣ１（又は携帯装置２）から携帯装置２（又はＰＣ１）へと、容易に送信することができる。すなわち、複数の端末（ＰＣ１、携帯装置２）の間において、情報を容易に処理することができる。また、ＰＣ１と携帯装置２との間に処理能力の差が存在するような場合、処理能力が高い装置に情報を送信して、この情報を処理することができる。すなわち、ＰＣ１と携帯装置２とを協働させることによって、情報を効率的に処理することができる。
〔他の実施形態〕
（Ａ）前記実施形態では、ＰＣ１に対する携帯装置２の位置情報を、ＰＣ１において検出し、この位置情報をＰＣ１から携帯装置２へと送信することによって、携帯装置２の第２送信領域ＳＲ２が選択される場合の例を示した。これに代えて、携帯装置２に装置検出部（ex. 近接センサ）を設けることによって、携帯装置２において、ＰＣ１に対する携帯装置２の位置を、認識できるようにしてもよい。この場合、例えば、携帯装置２のモニタ部２の外周部（上端部、下端部、左端部、及び右端部の少なくともいずれか１つの端部）に、装置検出部が内蔵される。そして、前記実施形態においてＰＣ１で行った処理と同様の処理によって、ＰＣ１に対する携帯装置２の位置を、認識することができる。
（Ｂ）前記実施形態では、ＰＣ１に近接センサ２１３ｂを設けることによって、携帯装置２の位置を検出する場合の例を示した。これに代えて、携帯装置２の位置を検出するためのスイッチ２１３ｃを、ＰＣ１に設けることによって、携帯装置２の位置を検出するようにしてもよい。この場合、図８に示すように、モニタ部２１３の本体外周部における、上端部、左端部、及び右端部に、スイッチ２１３ｃが設置される。そして、上記のいずれか１つのスイッチ２１３ｃが、携帯装置２によって押された場合に、押されたスイッチ２１３ｃに対応する領域が、第１送信領域ＳＲ１として、設定される。図８の破線の位置に携帯装置２が配置された場合、前記実施形態と同様の領域が、第１送信領域ＳＲ１として、設定される。なお、近接センサ２１３ｂとスイッチ２１３ｃとを混在させてもよい。
（Ｃ）前記実施形態では、第１送信可能領域Ｒ１，Ｒ２，Ｒ３及び第２送信可能領域Ｓ１，Ｓ２，Ｓ３が、帯状に形成される場合の例を示したが、第１送信可能領域Ｒ１，Ｒ２，Ｒ３の形状、及び第２送信可能領域Ｓ１，Ｓ２，Ｓ３の形状は、どのようにしてもよい。
（Ｄ）前記実施形態では、ＰＣ１が起動したときに、ＰＣ１の近接センサ２１３ｂが自動的に作動を開始する場合の例を示したが、ＰＣ１の近接センサ２１３ｂを作動するタイミングは、どのようにしてもよい。例えば、ＰＣ１が起動した状態において、入力部１１８からの入力信号に基づいて、適宜近接センサ２１３ｂが作動するようにしてもよい。すなわち、ユーザが、手動で近接センサ２１３ｂを作動させるようにしてもよい。
（Ｅ）前記実施形態では、ＰＣ１と携帯装置２とが互いに独立して動作する場合の例を示したが、上記の処理に加えて、携帯装置２の液晶モニタ３ａを、ＰＣ１のモニタ２１３ａの拡張モニタとして用いることができるようにしてもよい。
（Ｆ）前記実施形態では、ＰＣ１と携帯装置２との間で、情報処理が実行される場合の例を示した。これに代えて、例えば、ＰＣ同士で、上記の情報処理を実行するようにしてもよい。
（Ｇ）前記実施形態では、携帯装置２がＰＣ１のモニタ部２１３の左端部に近接する場合の例を示したが、ＰＣ１は、モニタ部２１３の上端部又は左端部においても、携帯装置２の近接を検出することができる。
（Ｈ）前記実施形態では、タッチ入力検出回路１４ａが第２選択部である場合の例を示したが、携帯装置２が、キーボードのような入力部を有する場合は、入力部及び／又はタッチ入力検出回路１４ａを、第２選択部としてもよい。また、携帯装置２の代わりにＰＣが用いられる場合は、このＰＣの入力部が第２選択部として用いられる。
【産業上の利用可能性】
【００３２】
本発明は、情報処理システムに広く利用可能である。
【符号の説明】
【００３３】
１        パーソナルコンピュータ、ＰＣ（第１情報処理装置）
２        携帯装置（第２情報処理装置）
３        携帯装置のモニタ部（第２表示部）
３ａ      液晶モニタ（第２モニタ部）
１０      携帯装置の制御部
１１０    ＰＣの制御部
２１３    ＰＣのモニタ部（第１表示部）
２１３ａ  ＰＣのモニタ（第１モニタ部）
２１３ｂ  近接センサ（装置検出部）
２１３ｃ  スイッチ（装置検出部）
ＳＲ１  第１送信領域ＳＲ１（第１領域）
ＳＲ２  第２送信領域ＳＲ２（第２領域）
Ｒ１，Ｒ２，Ｒ３  第１送信可能領域
Ｓ１，Ｓ２，Ｓ３  第２送信可能領域
【図１】
2013140455.tif 000003
【図２】
2013140455.tif 000004
【図３】
2013140455.tif 000005
【図４】
2013140455.tif 000006
【図５】
2013140455.tif 000007
【図６】
2013140455.tif 000008
【図７】
2013140455.tif 000009
【図８】
2013140455.tif 000010